(57)【要約】【課題】簡単な構成で記録位置の精度を向上させること。【解決手段】複数のレンズを有する記録媒体が載置され、該記録媒体を記録装置内において搬送する記録媒体搬送用トレイであって、前記記録媒体の所定ピッチで並ぶレンズに接触するための接触部であって、格子状に配置された接触部と、前記記録装置に設けられるガイド部に対して接触することによって案内される被ガイド部と、を備える記録媒体搬送用トレイ。【選択図】図１１
2010247962.tif 000002
【特許請求の範囲】
【請求項１】
複数のレンズを有する記録媒体が載置され、該記録媒体を記録装置内において搬送する記録媒体搬送用トレイであって、
前記記録媒体の所定ピッチで並ぶレンズに接触するための接触部であって、格子状に配置された接触部と、
前記記録装置に設けられるガイド部に対して接触することによって案内される被ガイド部と、
を備える記録媒体搬送用トレイ。
【請求項２】
前記接触部は、複数の突起物からなる、請求項１に記載の記録媒体搬送用トレイ。
【請求項３】
前記接触部は、正方格子状に配置される、請求項１又は２に記載の記録媒体搬送用トレイ。
【請求項４】
前記接触部は、半球状の突起物である、請求項１〜３のいずれかに記載の記録媒体搬送用トレイ。
【請求項５】
前記接触部は、前記記録媒体が搬送される方向において前記レンズの所定ピッチの倍数で配置される、請求項１〜４のいずれかに記載の記録媒体搬送用トレイ。
【請求項６】
前記接触部は、前記記録媒体が搬送される方向に交差する方向において前記レンズの所定ピッチの倍数で配置される、請求項１〜５のいずれかに記載の記録媒体搬送用トレイ。
【請求項７】
前記被ガイド部は、前記記録媒体を搬送する方向に延びる凹形状からなる、請求項１〜６のいずれかに記載の記録媒体搬送用トレイ。
【請求項８】
請求項１〜７のいずれかに記載の記録媒体搬送用トレイを備える記録装置。
【発明の詳細な説明】
【技術分野】
【０００１】
本発明は、レンチキュラーレンズなどのレンズを有する記録媒体を記録装置に装填する際に用いる記録媒体搬送用トレイおよびこの記録媒体搬送用トレイを備える記録装置に関する。
【背景技術】
【０００２】
記録層に重ねてレンチキュラーレンズなどのレンズを有し、記録層に記録された画像をレンチキュラーレンズを介して、立体画像あるいは見る角度によって見える画像の形態等が変わる変り絵画像として見ることができる記録媒体が従来から知られている。かかる記録媒体に記録された画像を所定の立体画像あるいは変り絵画像として見ることができるようにするためには、記録層への記録位置をレンチキュラーレンズのレンズ配列に精度良く対応させて行う必要がある。そのため、例えば、特許文献１には、センサーを用いてレンチキュラーレンズの位置を検出し、この検出結果に基づいて所望の位置に記録を行う手段が開示されている。また、特許文献２には、搬送用トレイに載置された記録媒体がトレイ上で位置ずれしない対策を施し、記録位置の精度を高める手段が開示されている。
【先行技術文献】
【特許文献】
【０００３】
【特許文献１】特許第３４７１９３０号
【特許文献２】特開２００７−１３０７６９号
【発明の概要】
【発明が解決しようとする課題】
【０００４】
しかしながら、特許文献１の手段による場合は、センサーを備える必要がありコスト高
を招くと言う問題がある。また、特許文献２の手段による場合は、記録媒体の搬送用トレ
イに対する位置ずれを防止することはできるが、搬送用トレイが搬送方向に対して傾斜し
た状態で搬送されてしまう場合には、記録位置の精度を高めることができない。
【０００５】
そこで、本発明は、簡単な構成で記録位置の精度を向上させることを目的とする。
【課題を解決するための手段】
【０００６】
上記目的を達成するための主たる発明は、
複数のレンズを有する記録媒体が載置され、該記録媒体を記録装置内において搬送する記録媒体搬送用トレイであって、
前記記録媒体の所定ピッチで並ぶレンズに接触するための接触部であって、格子状に配置された接触部と、
前記記録装置に設けられるガイド部に対して接触することによって案内される被ガイド部と、
を備える記録媒体搬送用トレイである。
【０００７】
本発明の他の特徴については、本明細書及び添付図面の記載により明らかにする。
【図面の簡単な説明】
【０００８】
【図１】第１の実施の形態に係る記録装置の後方斜視図である。
【図２】第１の実施の形態に係るトレイの構成を示す斜視図である。
【図３】検査用画像の記録内容を示す図である。
【図４】検査用画像をレンチキュラーレンズの側から見たときの画像を示す図である。
【図５】第２の実施の形態に係るトレイ３００の構成を示す斜視図である。
【図６】第１の変形例に係る記録装置およびトレイの後方斜視図である。
【図７】図６に示すトレイの変形例を示す後方斜視図である。
【図８】図６の部分Ａの拡大図である。
【図９】係合部、ガイド部、被ガイド部の形状の変形例を示す図である。
【図１０】トレイの構成を示す断面図である。
【図１１】搬送トレイ５２０に対するレンズシート５３０と搬送面５１０を示す図である。
【図１２】搬送トレイ５２０の上面図である。
【図１３】最小構成の搬送トレイ５２０’の上面図である。
【図１４】横レンズの載置について説明する図である。
【図１５】縦レンズの載置について説明する図である。
【図１６】斜めレンズの載置について説明する図である。
【図１７】図１７Ａは、鋭利な頂部を有する凸状ガイド５１２を示す図であり、図１７Ｂは、半球型の凸状ガイド５１２１を示す図であり、図１７Ｃは、三角形型の凸状ガイド５１２２を示す図であり、図１７Ｄは、矩形型の凸状ガイド５１２３を示す図であり、図１７Ｅは、複数の半球型の凸状ガイド５１２４を示す図である。
【図１８】トレイ５２０’の概略断面図を示す図である。
【図１９】球形レンズ５４０が並ぶ球形レンズアレイの載置について説明する図である。
【図２０】第１の六角形状レンズ５５０が並ぶ六角形状レンズアレイの載置について説明する図である。
【図２１】第２の六角形状レンズ５６０が並ぶ六角形状レンズアレイの載置について説明する図である。
【図２２】正六角形状レンズ５７０にあわせて設けられた凸状配列を示す図である。
【図２３】正六角形状レンズにあわせて設けられた凸部配列に対する縦レンズの配置を説明する図である。
【図２４】六角形状レンズにあわせて設けられた凸部配列に対する横レンズの配置を説明する図である。
【図２５】ＣＤトレイ４２０上のＣＤ−Ｒ６３０に印刷を行うプリンタ６００を説明する図である。
【図２６】ＣＤトレイ６２０とＣＤ６３０との関係を説明する図である。
【発明を実施するための形態】
【０００９】
本明細書及び添付図面の記載により、少なくとも、以下の事項が明らかとなる。
【００１０】
複数のレンズを有する記録媒体が載置され、該記録媒体を記録装置内において搬送する記録媒体搬送用トレイであって、
前記記録媒体の所定ピッチで並ぶレンズに接触するための接触部であって、格子状に配置された接触部と、
前記記録装置に設けられるガイド部に対して接触することによって案内される被ガイド部と、
を備える記録媒体搬送用トレイ。  
このようにすることで、簡単な構成で記録位置の精度を向上させることができる。
【００１１】
かかる記録媒体搬送用トレイであって、前記接触部は、複数の突起物からなることが望ましい。また、前記接触部は、正方格子状に配置されることが望ましい。また、前記接触部は、半球状の突起物であることが望ましい。また、前記接触部は、前記記録媒体が搬送される方向において前記レンズの所定ピッチの倍数で配置されることが望ましい。  
また、前記接触部は、前記記録媒体が搬送される方向に交差する方向において前記レンズの所定ピッチの倍数で配置されることが望ましい。また、前記被ガイド部は、前記記録媒体を搬送する方向に延びる凹形状からなることが望ましい。  
このようにすることで、簡単な構成で記録位置の精度を向上させることができる。
【００１２】
また、上記の記録媒体搬送用トレイを備える記録装置を設けることとしてもよい。  
このような記録装置であっても、簡単な構成で記録位置の精度を向上させることができる。
【００１３】
（第１の実施の形態）
以下に、第１の実施の形態に係る記録媒体搬送用トレイ（以下、単にトレイと記載する。）１００と記録装置２００について、図１および図２を参照しながら説明する。
【００１４】
図１は、第１の実施の形態に係る記録装置２００の後方斜視図である。図には、記録装置２００の概略の構成を示す概略構成図が示されている。図１に示す記録装置２００は、トレイ１００を利用して他の記録媒体としてのレンズシートＬ１が記録装置２００に装填された状態を示している。図２は、第１の実施の形態に係るトレイの構成を示す斜視図である。図には、トレイ１００の構成を解り易くするために、トレイ１００、レンズシートＬ１および記録装置２００を別々に分けて描いた分解斜視図が示されている。なお、図１において、記録装置２００に装填されたレンズシートＬ１が進行する方向である矢印Ｘの方向を前方（前側）とし、この反対方向を後方（後側）とする。また、後方から前方に向かって右手方向となる矢印Ｙの方向を右方（右側）とし、この反対方向である左手方向を左方（左側）とする。
【００１５】
そして、矢印Ｚの方向を上方（上側）とし、この反対方向を下方（下側）として、以下の説明を行うこととする。
【００１６】
記録装置２００は、外装体である筐体１と、レンズシートＬ１を載置するトレイ１００と、このトレイ１００を下側から支持するトレイ支持ガイド２と、トレイ支持ガイド２の上に載置されたトレイ１００を後方から前方に向けて搬送する給紙ローラ３および排紙ローラ４と、レンズシートＬ１に対して記録を行う記録ヘッド５等を有する。
【００１７】
レンズシートＬ１は、透明な樹脂シートの一方の面に他のレンチキュラーレンズとしてのレンチキュラーレンズ６が形成され、他方の面に画像形成層７が形成されている。このレンズシートＬ１は、画像形成層７に記録された画像を、レンチキュラーレンズ６を介して視認することができるように構成されている。したがって、例えば、画像形成層７に、レンチキュラーレンズ６の配設ピッチや焦点距離等に対応させて視差のある画像を記録し、この画像をレンチキュラーレンズ６の側から視認すると、立体感のある画像として、あるいは見る角度によって異なる画像として視認することができるというものである。なお、レンズシートＬ１は画像形成層７を形成することなく、レンチキュラーレンズ６が形成される側と反対の面の樹脂部に直接記録を行う構成のものとしてもよい。
【００１８】
筐体１の後側の側面には、レンズシートＬ１が載置されたトレイ１００を筐体１内に供給するための給紙開口部８が形成され、また、前側の側面には、給紙開口部８から供給されたレンズシートＬ１が載置されているトレイ１００を排出する排紙開口部９が形成されている。給紙開口部８から記録装置２００に供給されたトレイ１００は、レンズシートＬ１を載置したまま給紙ローラ３および排紙ローラ４により前方に向かって搬送され、記録ヘッド５により記録が行われた後、排紙開口部９から記録装置２００の外部に排出される。
【００１９】
トレイ支持ガイド２は、その上面であるトレイガイド面１０が、給紙ローラ３と排紙ローラ４の上部と略同一の高さとなる位置に配設されている。トレイ支持ガイド２は、全体として矩形の板状体を呈し、前後方向が、給紙開口部８の後方に突出した位置から給紙ローラ３の手前の位置に亘って備えられている。また、左右の幅方向については、載置されるトレイ１００を全幅に亘って支持できる幅となっている。トレイ支持ガイド２は、筐体１、または内部のフレーム等の構造体に対して図示を省略する構成により取り付けられている。
【００２０】
トレイ支持ガイド２は、樹脂等から形成される板状体から形成され、トレイガイド面１０は、このトレイガイド面１０に載置されるトレイ１００の搬送方向をガイドするガイド部１１として形成されている。ガイド部１１は、複数の凸条部１２から構成されている。凸条部１２は、レンズシートＬ１のレンチキュラーレンズ６と異なる所定ピッチのレンチキュラーレンズを有する所定の記録媒体としてのガイド部用レンズシート（不図示）のレンチキュラーレンズと同一形状に形成されている。つまり、凸条部１２は、トレイ１００に換えてトレイ支持ガイド２に載置され搬送されるレンズシートであるガイド部用レンズシートのレンチキュラーレンズと同一形状に形成されている。すなわち、ガイド部用レンズシートのレンチキュラーレンズを形成するレンズ要素と同一形状である凸条部１２が、ガイド部用レンズシートのレンチキュラーレンズの配設ピッチと同一ピッチでトレイ１００の幅と同一かまたはその幅よりも広い幅に亘って並設されている。つまり、凸条部１２は、ガイド部用レンズシートのレンチキュラーレンズの線状方向に沿ってこのレンチキュラーレンズに係合可能な係合部となっている。
【００２１】
本実施の形態では、ガイド部用レンズシートとレンズシートＬ１とは、ガイド部用レンズシートのレンチキュラーレンズの配設ピッチが、レンズシートＬ１のレンチキュラーレンズ６よりも大きなピッチのものとなっている。また、凸条部１２の長手方向、すなわち、凸条部１２の母線（稜線）方向は、レンズシートＬ１の所定の搬送方向、すなわち、主走査方向に直交する方向に沿って形成されている。
【００２２】
本実施の形態では、ガイド部用レンズシートをこのガイド部用レンズシートのレンチキュラーレンズの側を上方に向けてトレイ支持ガイド２の上面に貼り付けることで、ガイド部１１を構成することとしている。このように、ガイド部１１を、ガイド部用レンズシートをトレイ支持ガイド２に貼り付けることで形成するようにしたため、容易にトレイ支持ガイド２にガイド部１１を設けることができる。なお、トレイ支持ガイド２を樹脂成形により作成する場合には、成形金型に予めガイド部１１に対応する型面を形成して、ガイド部１１をトレイ支持ガイド２と一体に成形するようにしてもよい。また、トレイ支持ガイド２を金属板により形成してもよい。この場合には、金属板を切削加工することによりガイド部１１を形成することができる。
【００２３】
トレイ１００は、図２に示すように、全体として矩形の板状体を呈し、載置されるレンズシートＬ１と同一形状もしくはそれより大きな大きさであり、レンズシートＬ１の全面を載置できる大きさとなっている。トレイ１００の上側の面、すなわち、レンズシートＬ１を載置する載置面１３は、レンズシートＬ１のレンチキュラーレンズ６に係合し、レンズシートＬ１の位置決めを行うための複数の凸条部１４を有する係合部１５として形成されている。一方、トレイ１００の下側の面には、前述したトレイ支持ガイド２に設けられるガイド部１１に係合する複数の凸条部１６を有する被ガイド部１７が設けられている。
【００２４】
係合部１５は、レンズシートＬ１のレンチキュラーレンズ６と同一形状に形成されている。すなわち、凸条部１４は、レンチキュラーレンズ６を形成するレンズ要素１８と同一形状の線条体を呈し、レンチキュラーレンズ６の配設ピッチと同一ピッチでレンズシートＬ１の幅よりも広い幅に亘って並設されている。凸条部１４の長手方向、すなわち、凸条部１４の母線（稜線）方向は、レンズシートＬ１の所定の搬送方向、すなわち、主走査方向に直交する方向に沿って形成されている。
【００２５】
被ガイド部１７は、ガイド部１１と同一形状に形成されている。すなわち、凸条部１６は、ガイド部１１の凸条部１２と同一形状の線条体を呈し、凸条部１２の配設ピッチと同一ピッチでトレイ１００の下面の幅全体に亘って並設されている。なお、凸条部１６の長手方向、すなわち、凸条部１６の母線（稜線）方向は、係合部１５の凸条部１４と同一の方向、すなわち、主走査方向に直交する方向に沿って形成されている。
【００２６】
ところで、トレイ１００の係合部１５は、本実施の形態では、レンチキュラーレンズ６を上面に向けたレンズシートＬ１をトレイ１００の上面に貼り付けることで構成することとしている。このように、係合部１５をレンズシートＬ１により形成することで、容易にトレイ１００に係合部１５を設けることができる。また、被ガイド部１７についても、係合部１５と同様に、ガイド部用レンズシートのレンチキュラーレンズの側を下方に向けて下面に貼り付けることで構成することとしている。なお、トレイ１００を樹脂成形により作成する場合には、成形金型に予め係合部１５と被ガイド部１７に対応する型面を形成して、係合部１５と被ガイド部１７をトレイ１００と一体に成形するようにしてもよい。また、トレイ１００を金属板により形成してもよい。この場合、金属板を切削加工することにより係合部１５および被ガイド部１７を切削加工することにより係合部１５および被ガイド部１７を形成することができる。
【００２７】
記録ヘッド５の前後には、給紙ローラ３と排紙ローラ４が配設されている。給紙ローラ３と排紙ローラ４は、それぞれ給紙用モータ１９と排紙用モータ２０により回転駆動される。給紙ローラ３の上側には、給紙ローラ３の回転に追従して回転する給紙側従動ローラ２１が左右方向に例えば３つ備えられている。また、排紙ローラ４の上側には、排紙ローラ４に追従して回転する排紙側従動ローラ２２が左右方向に例えば３つ備えられている。したがって、給紙開口部８から記録装置２００に供給されたレンズシートＬ１は、これを載置するトレイ１００と共に給紙ローラ３と給紙側従動ローラ２１との間、および排紙ローラ４と排紙側従動ローラ２２との間に挟まれて、給紙ローラ３と排紙ローラ４の回転を受けて、後方から前方に向かって搬送される。そして、搬送されるレンズシートＬ１に対して記録ヘッド５により記録が行われた後、排紙開口部９から記録装置２００の外部に排出される。
【００２８】
排紙ローラ４の前方には、記録ヘッド５により記録が行われ排紙開口部９から排出されるトレイ１００の下面を支持する排紙側トレイ支持ガイド２３が設けられている。この排紙側トレイ支持ガイド２３は、排紙ローラ４から送り出された搬送用トレイ１００が下方に撓み被ガイド部１７の凸条部１４がガイド部１１の凸条部１２から外れてしまわないように、その上面２４がトレイ支持ガイド２の載置面１３と同一の高さかまたはやや低い高さとされ、また前後方向の長さについても十分長く設定されている。
【００２９】
給紙ローラ３と排紙ローラ４との間の上方には、記録ヘッド５が配設されている。記録ヘッド５は、キャリッジ２５の下面に取り付けられ、本実施の形態では、インクを吐出するインクジェット型の記録ヘッドとして構成されている。キャリッジ２５は、左右方向に延設されるキャリッジガイド２６に移動可能に支持され、また、キャリッジ用モータ２７により駆動されるタイミングベルト２８に取り付けられている。このため、キャリッジ用モータ２７によりタイミングベルト２８を左右方向に回転駆動すると、キャリッジ２５と共に記録ヘッド５はキャリッジガイド２６に沿って左右方向に移動することができる。
【００３０】
したがって、給紙ローラ３と排紙ローラ４によるレンズシートＬ１の搬送方向である副走査方向への搬送を制御すると共に、記録ヘッド５の移動方向である主走査方向、すなわち左右方向への移動についても制御することで、記録ヘッド５をレンズシートＬ１の所定位置に移動することができ、レンズシートＬ１の所望の位置に画像を記録することができる。なお、レンズシートＬ１は、画像形成層７の側を記録ヘッド５に対向され、レンチキュラーレンズ６の側がガイド部１１に接触するようにトレイ支持ガイド２に載置する。つまり、記録ヘッド５は画像形成層７に対して記録を行い、レンチキュラーレンズ６の側から画像形成層７に記録された画像を視認することができる記録物が製作されることになる。
【００３１】
上述したように構成される記録装置２００によるレンズシートＬ１への記録は次のように行う。先ず、レンズシートＬ１を、レンチキュラーレンズ６の側をトレイ１００の上に向けて載置する。係合部１５とレンチキュラーレンズ６とは同一形状であるため、トレイ１００に載置されたレンズシートＬ１は、レンチキュラーレンズ６が係合部１５に噛み合う。そのため、レンズシートＬ１は、係合部１５により左右方向（主走査方向）の位置決めが行われた状態となる。すなわち、係合部１５は、トレイ１００に載置されたレンズシートＬ１のレンチキュラーレンズ６の線状方向に沿ってレンチキュラーレンズ６に係合する係合部を構成している。つまり、レンズシートＬ１は、係合部１５によりトレイ１００の上で回転してしまったり左右に動いてしまわないように位置決めされることになる。
【００３２】
そしてレンズシートＬ１が載置されたトレイ１００を、被ガイド部１７がトレイ支持ガイド２に設けられたガイド部１１に係合するように、トレイ支持ガイド２上に載置する。ガイド部１１と被ガイド部１７とは、同一形状の凸条部１２と凸条部１６とが、互いに同一の配設ピッチで並設されている。そのため、凸条部１２と凸条部１６は左右方向においてがたつくことなく、かつ、前後方向への移動が可能な状態で係合し合うことになる。このようにガイド部１１の凸条部１２に被ガイド部１７の凸条部１６を嵌合させるようにトレイ１００をトレイ支持ガイド２に載置することで、トレイ１００は、トレイ支持ガイド２に対して左右方向に位置決めされるとともにトレイ支持ガイド２の上で回転してしまうことを防止される。
【００３３】
したがって、給紙ローラ３および排紙ローラ４により搬送されるトレイ１００は、主走査方向に直交する方向、すなわち副走査方向に沿って一定の搬送方向が維持された状態で搬送されることになる。また、上述したように、トレイ１００に載置されているレンズシートＬ１は、係合部１５によりトレイ１００の上で左右方向に移動したり回転してしまうことのないように位置決めされている。そのため、レンズシートＬ１は、一定の決まった方向に搬送されることになり、記録ヘッド５によるレンズシートＬ１への記録を所定の位置に行うことができる。
【００３４】
ところで、トレイ支持ガイド２に設けられるガイド部１１はレンズシートＬ１のレンチキュラーレンズ６よりも大きなピッチのレンチキュラーレンズを有するガイド部用シートレンズのレンチキュラーレンズと同一の形状に形成されている。したがって、トレイ１００に替えて、ガイド部用シートレンズをレンチキュラーレンズの側のガイド部１１に向けてトレイ支持ガイド２の上に載置すると、ガイド部用レンズシートのレンチキュラーレンズとガイド部１１とは互いに噛み合い、ガイド部用レンズシートはガイド部１１により左右方向（主走査方向）の位置決めが行われた状態となる。つまり、ガイド部用シートレンズを給紙ローラ３と排紙ローラ４によって搬送すると、ガイド部１１によりガイド部用レンズシートのレンチキュラーレンズが主走査方向に直交する方向（副走査方向）にガイドされた状態で搬送される。そのため、ガイド部用レンズシートをトレイ支持ガイド２に直接載置し搬送し、記録ヘッド５により記録を行う場合にも、ガイド部用レンズシートへの記録を所定の位置に行うことができる。
【００３５】
このように、記録装置２００においては、ガイド部１１の凸条部１２をガイド部用レンズシートのレンチキュラーレンズと同一形状とすることで、ガイド部１１を利用してガイド部用レンズシートを所定の搬送方向に沿って搬送することができ、ガイド部用レンズシートへの記録を所定の位置に行うことができる。
【００３６】
また、トレイ１００の係合部１５をガイド部用レンズシートのレンチキュラーレンズと異なるピッチのレンチキュラーレンズに係合するように構成することで、ガイド部用レンズシートとは異なるピッチのレンチキュラーレンズを有するレンズシートについては、トレイ１００に載置して搬送することで、ガイド部用レンズシートと異なるピッチのレンチキュラーレンズを有するレンズシートについても所定の搬送方向に沿って搬送することができ、所定の位置に記録を行うことができる。つまり、一台の記録装置２００で、異なるピッチのレンチキュラーレンズを有するレンズシートをそれぞれ所定の搬送方向に搬送させながら記録を行うことができる。
【００３７】
具体的には、例えば、ガイド部用レンズシートを、１インチ毎に６０本のレンズ要素が配設される６０ＬＰＩ（Ｌｅｎｓ  Ｐｅｒ  Ｉｎｃｈ）のレンチキュラーレンズを有するレンズシートとし、ガイド部１１を６０ＬＰＩのレンチキュラーレンズに対応させ、また、被ガイド部１７についてもこのガイド部１１に対応したものとする。そして、係合部１５について、１００ＬＰＩのレンチキュラーレンズを有するレンズシートＬ１のレンチキュラーレンズ６に対応したものとする。これにより、６０ＬＰＩのレンズシートに対して記録を行う場合には、トレイ支持ガイド２に直接レンズシートをガイドさせることで、記録位置精度の高い記録を行うことができる。また、１００ＬＰＩのレンズシートに対して記録を行う場合には、トレイ１００に該レンズシートを載置して記録を行うことで記録位置精度の高い記録を行うことができる。したがって、トレイ１００を被ガイド部１７については、６０ＬＰＩとし、係合部１５については、記録を希望するピッチのレンチキュラーレンズに対応したものを、レンチキュラーレンズのピッチ毎に準備しておくことで、一台の記録装置２００で、複数のピッチのレンチキュラーレンズのレンズシートに記録を行うことができる。
【００３８】
また、レンズシートＬ１をトレイ１００に載置して搬送することで、レンズシートＬ１と記録ヘッド５のインク吐出部との距離が短くなる。あるいは、レンズシートＬ１の厚さに応じてトレイ１００の厚さを所定の厚さとすることで、記録ヘッド５のインク吐出部とのレンズシートＬ１との距離を所定の距離とすることができる。そのため、記録ヘッド５から吐出されたインクがレンズシートＬ１に付着するまでに生じる位置ずれを小さく抑えることができる。
【００３９】
なお、係合部１５のピッチをガイド部１１と同一ピッチとしてもよい。すなわち、係合部１５のピッチをガイド部用レンズシートのレンチキュラーレンズと同一のピッチに構成してもよい。この場合にであっても、トレイ１００に載置されたレンズシートを所定の搬送方向に沿って搬送することができ、所定の位置に記録を行うことができる。また、また、レンズシートと記録ヘッド５のインク吐出部との距離が短くでき、記録ヘッド５から吐出されたインクがレンズシートに付着するまでに生じる位置ずれを小さく抑えることができる。
【００４０】
（搬送角度の検出）
ところで、ガイド部１１、被ガイド部１７、係合部１５が、レンズシートＬ１の所定の搬送方向に正確に沿うように、すなわちガイド部１、被ガイド部１７、係合部１５が主走査方向（給紙ローラ３および排紙ローラ４とに直交する方向）に対して直交するように設けられている場合には、レンズシートＬ１の所定の位置に記録を行うことができる。一方、ガイド部１１等が主走査方向に対して直交していない状態で設けられている場合には、レンズシートＬ１は所定の搬送方向に対して斜行して搬送されてしまうことになる。その結果、レンズシートＬ１は搬送されるにつれて、斜行方向に応じて左右いずれかに変位しながら搬送されることになり、レンズシートＬ１の所定の位置に記録を行うことができない。しかしながら、レンズシートＬ１は、ガイド部１１にガイドされた状態で搬送されるため、一定の斜行状態が維持されたまま搬送される。つまり、レンズシートＬ１が搬送された距離とレンズシートＬ１が左方または右方に変位する量とは比例する。したがって、ガイド部１１のガイド方向と所定の搬送方向との傾斜角を予め測定し、記録を行うための記録用画像データを、この傾斜角に対応して補正することで、レンズシートＬ１が斜行して搬送されても、レンズシートＬ１の所定位置に記録を行うことができる。
【００４１】
図３は、検査用画像の記録内容を示す図である。傾斜角の測定の測定は次のようにして行うことができる。記録装置２００により、図に示すように、レンズシートＬ１に対して検査用の画像である複数本のラインＬｎから構成される検査用画像ＣＭを記録する。これらのラインＬｎは、画像データ上では、ラインＬｎの中の中心のラインＬＡを所定の搬送方向に沿ったラインとし、このラインＬＡを中心に、このラインＬＡの左右に有るラインＬｎを左右で異なる方向に同一角度ずつ順に傾斜を累積させたものとする。
【００４２】
例えば、ラインＬＡよりも右側のラインＬｎは、搬送方向に向かって時計回りに０．０１度刻みで順に傾斜角を増すように設定し、ラインＬＡよりも左側のラインＬｎは、搬送方向に向かって反時計回りに０．０１度刻みで順に傾斜角を増すように設定する。このような検査用の画像データに基づいて、ガイド部１１にガイドされながら搬送されるレンズシートＬ１に検査用画像ＣＭを記録する。
【００４３】
図４は、検査用画像をレンチキュラーレンズの側から見たときの画像を示す図である。レンズシートＬ１に記録された検査用画像ＣＭをレンチキュラーレンズ６の側から見ると、図に示すように、ラインＬｎの中でレンチキュラーレンズ６のレンズ要素１８の母線（稜線）に沿って記録されているラインＬＢについては、連続した１本のラインとして視認することができる。他方、レンズ要素１３の母線（稜線）に沿って記録されていないラインＬｎについては複数のレンズ要素１８にまたがって記録されるため、例えば、ラインＬＣ等のように不連続に左右のいずれかの方向に分断されたラインとなる。
【００４４】
したがって、ラインＬｎの中で、レンチキュラーレンズ６を介して１本のラインで見ることができるラインＬＢに対応するラインＬｎの傾斜角を、ガイド部１１のガイド方向と所定の搬送方向との傾斜角として測定できる。そして、この測定された傾斜角に基づいて記録用画像データを回転させた補正画像データを生成する。レンズシートＬ１への画像の記録をこの補正画像データに基づいて行うことで、レンズシートＬ１が斜行して搬送される場合も所定位置に画像を記録することができる。
【００４５】
なお、上述のガイド部１１のガイド方向の傾斜角の測定は、０．０１度刻みの傾斜角でラインが形成された１種類の検査用画像を用いて行ったが、傾斜角の変化量が違う２種類の検査用画像を用いてガイド部１１のガイド方向の傾斜角を測定してもよい。例えば、０．０５度刻みの傾斜角でラインが形成された第１の検査用画像をレンズシートＬ１に記録し、この検査用画像をレンチキュラーレンズ６を介して見たときに最も１ラインの長さが長いラインを特定する。次いで、別のレンズシートＬ１にこのラインの傾斜角を中心にして左右に０．０１度刻みの傾斜角でラインが形成される第２の検査用画像を記録する。そして、第２の検査用画像をレンチキュラーレンズ６を介して見たときに最も１ラインの長さが長いラインを特定する。このラインの傾斜角を、ガイド部１１のガイド方向と所定の搬送方向との傾斜角として測定することができる。
【００４６】
このように、２種類の検査用画像を用いてガイド部１１のガイド方向の傾斜角を測定することで、測定できる傾斜角の範囲を広げるとともに、精度の高い測定を行うことができる。つまり、０．０１度刻みの傾斜角でラインが形成される検査用画像だけの場合は、中心のラインの両側に０．０１度刻みのラインの本数倍までしか傾斜角の測定を行うことができない。しかしながら、０．０５度刻みの傾斜角でラインが形成される検査用画像を使用することで、広い範囲の傾斜角を測定でき、さらにその次に、０．０１度刻みの傾斜角でラインが形成される検査用画像を使用することで、精度の高い傾斜角の測定を行うことができる。検査用画像の種類を増やすことで、さらに広い範囲でかつ精度の高い搬送傾斜角の測定を行うことができる。
【００４７】
（第２の実施の形態）
次に、第２の実施の形態に係るトレイ３００について、図５を参照しながら説明する。  
図５は、第２の実施の形態に係るトレイ３００の構成を示す斜視図である。図には、トレイ３００の構成を解り易くするために、トレイ３００、レンズシートＬ２および記録装置２００を別々に分けて描いた分解斜視図が示されている。なお、上述の第１の実施の形態で説明したのと同様の構成については、同一の符号を付すこととし、その説明を省略する。
【００４８】
第２の実施の形態に係るトレイ３００は、いわゆる斜めレンズシートと言われるレンズシートＬ２を載置するためのものである。斜めレンズシートとは、レンチキュラーレンズがその線条方向をレンズシートの側辺に傾斜させて配設されているものである。つまり、本実施の形態のレンズシートＬ２は矩形を呈し、そして、レンチキュラーレンズ３０は、レンズ要素３１がレンズシートＬ２の側辺に対して傾斜した角度で設けられている斜めレンチキュラーレンズとなっている。
【００４９】
このようなレンズシートＬ２を所定の搬送方向に沿って凸条部１２が形成されるガイド部１１にガイドさせて搬送させる場合には、図５に点線部分Ｒで示すように、レンズ要素３１がガイド部１１に係合するように、レンズシートＬ２を斜めにトレイ支持ガイド２に載置する必要がある。このようにレンズシートＬ２を斜めにトレイ支持ガイド２に載置すると、レンズシートＬ２が記録装置２００に占める左右方向および前後方向の長さが長くなるため、トレイ支持ガイド２からレンズシートＬ２がはみ出てしまったり、記録ヘッド５の記録領域からレンズシートＬ２がはみ出てしまう問題が発生する場合がある。
【００５０】
そのため、レンズシートＬ２がはみ出ないようにはみ出てしまうことのないようにレンズシートＬ２を小さく裁断する等して加工する必要があり、大きな面積のレンズシートＬ２に記録を行うことが出来なかったり、裁断の工数を要するという問題がある。そこで、トレイ３００においては係合部３２がレンチキュラーレンズ３０と同一の形状で、かつ、レンズ要素３１と同一の角度で傾斜した状態で設けられている。すなわち、係合部３２を、レンチキュラーレンズ３０と同一の形状で、かつ、レンズ要素３１と同一の角度で傾斜した凸条部３３により構成する。つまり、係合部３２の凸条部３３は、レンズシートＬ２をその側辺が所定の搬送方向に沿う向きでトレイ３００に載置したときに、レンチキュラーレンズ３０が係合する角度で備えられている。
【００５１】
したがって、レンズシートＬ２を、そのレンチキュラーレンズ３０が係合部３２に係合するようにトレイ３００に載置すると、レンズシートＬ２は、トレイ３００の側辺にレンズシートＬ２の側辺が平行になるように配置されてトレイ３００に載置されることになる。つまり、レンズシートＬ２は、トレイ３００からはみ出ることなくトレイ３００に載置される。したがって、レンズシートＬ２の面積を有効使って記録を行うことができる。なお、斜めレンズシートであるレンズシートＬ２についてもトレイ３００に載置して搬送することで所定の搬送方向に沿って搬送することができ、所定の位置に記録を行うことができる。
【００５２】
なお、凸条部３３をトレイ支持ガイド２の凸条部１２と左右方向に直交する角度、すなわち主走査方向に沿う方向に形成してもよい。トレイ３００をこのような構成とした場合には、搬送方向に対して直交する方向にレンチキュラーレンズの線条方向が形成されているレンズシートを、係合部３２にレンチキュラーレンズを係合させた状態で搬送することができる。
【００５３】
（変形例）
次に、第１の実施の形態に係るトレイ１００の変形例であるトレイ４００について、図６から図８を参照しながら説明する。図６は、第１の変形例に係る記録装置およびトレイの後方斜視図である。図７は、図６に示すトレイの変形例を示す後方斜視図である。図８は、図６の部分Ａの拡大図である。  
なお、上述の第１の実施の形態で説明したのと同様の構成については、同一の符号を付すこととし、その説明を省略する。
【００５４】
上述した第１の実施の形態に係る記録装置２００において、レンズシートＬ１に換えてレンチキュラーレンズの設けられていないコピー用紙や写真用紙等のいわゆる普通紙を載置した場合であっても、これら普通紙が載置面１３の上で回転してしまわないようにすることで、普通紙に対しても所定位置に記録を行うことができる。そこで、図６に示すようにトレイ１００においては、その後端縁４０に、レンズシートＬ１を載置した場合にレンズシートＬ１の後端の側縁に当接する当接手段として左右方向に長い凸条のガイド体４１を設けている。普通紙Ｐをこのガイド体４１に沿わせてトレイ４００に載置することで、普通紙Ｐはガイド体４１により載置面１３上で回転してしまうことを防止され、トレイ４００に載置された状態で搬送される。そのため、普通紙Ｐは、一定の決まった方向に搬送されることになり、記録ヘッド５による普通紙Ｐへの記録を所定の位置に行うことができる。普通紙Ｐに換えてレンズシートＬ１をこのガイド体４１に沿わせてトレイ４００に載置した場合には、レンズシートＬ１は係合部１５による位置決めに加えてこのガイド体４１によっても位置決めされるため、より確実な位置決めが行われることになる。
【００５５】
なお、図７に示すようにガイド体４１の取り付け位置を普通紙Ｐのサイズに応じて換えるようにしてもよい。この場合、ガイド体４１に差込ボス４２を設け、トレイ４００の側に差込ボス４２が嵌るボス穴４３を普通紙Ｐのサイズに応じて設けることで、ガイド体４１の取り付け位置を載置される普通紙Ｐのサイズに応じて簡単に変えることができる。図８は、図７に示す部分Ａの拡大図であり、ボス穴４３が形成される部分の様子を示す。ボス穴４３は、係合部１５の一部を欠いて形成する平面部分４４に形成されている。
【００５６】
また、ガイド体４１は載置される普通紙Ｐの一辺だけでなく複数の辺に対応するように複数のガイド部を設けることで、普通紙Ｐの搬送用トレイ１上での位置決めを確実に行うことができる。また、ガイド体４１は普通紙Ｐの外周の形状が例えば曲線であればこの曲線に合う形状とすることで、普通紙Ｐの形状に応じた確実な位置決めが行を行うことができる。
【００５７】
上述の各実施の形態において、ガイド部１１はトレイ支持ガイド２の左右方向の幅全域に亘って形成され、また、被ガイド部１７もトレイ１００（トレイ３００，トレイ４００）の左右方向の幅全域に亘って形成されている。しかしながら、被ガイド部１７がガイド部１１にガイドされるためには、少なくともいずれか一方を２本、そして他方を１本とし、これらの凸条部１２と凸条部１６とが左方向と右方向の両方向で係合し合うようにすれば足りる。凸条部１２と凸条部１６との本数を増やし、互いに係合する部分を増やすことで、トレイ１００（トレイ３００，トレイ４００）のガイド部１１によるガイドは確実なものとなる。
【００５８】
なお、ガイド部１１を複数本の凸条部１２により構成する場合には、凸条１２の間隔は、ガイド部用レンズシートのレンチキュラーレンズの配設ピッチの整数倍とする。これにより、ガイド部１１にガイド部用レンズシートを載置したときに、ガイド部用レンズシートの下側に位置する複数の凸条部１２を全てガイド部用レンズシートに係合させることができ、ガイド部用レンズシートとガイド部１１との係合状態を確実なものとすることができる。
【００５９】
また、上述の第１の実施の形態においては、係合部１５はレンズシートＬ１の左右方向の幅全域に亘って形成したが、少なくとも１本または数本の凸条部１４により構成してもよい。係合部１５を複数本の凸条部１４により構成する場合には、凸条部１４の間隔は、レンズシートＬ１のレンチキュラーレンズ６の配設ピッチの整数倍とする。これにより、トレイ１００にレンズシートＬ１を載置したときに、レンズシートＬ１の下側に位置する複数の凸条部１４を全てレンズシートＬ１に係合させることができ、レンズシートＬ１と係合部１５との係合状態を確実なものとすることができる。
【００６０】
また、上述の第２の実施の形態においては、係合部３２はレンズシートＬ２の全面に亘って形成したが、少なくとも１本または数本の凸条部３３により構成してもよい。係合部３２を複数本の凸条部３３により構成する場合には、凸条部３３の間隔は、レンズシートＬ２のレンチキュラーレンズ３０の配設ピッチの整数倍とする。これにより、トレイ３００にレンズシートＬ２を載置したときに、レンズシートＬ２の下側に位置する複数の凸条部３３を全てレンズシートＬ２に係合させることができ、レンズシートＬ２と係合部３２との係合状態を確実なものとすることができる。
【００６１】
図９は、係合部、ガイド部、被ガイド部の形状の変形例を示す図である。各実施の形態において、係合部１５は、凸形状の凸条部１４とし、また、係合部３２についても、凸形状の凸条部３３としたが、図９に示すように、レンチキュラーレンズＬ１あるいはレンチキュラーレンズＬ２と同一の形状の凹条５０を係合部１４あるいは係合部３２としてもよい。また、ガイド部１１と被ガイド部１７についはいずれか一方を凹部としてもよい。
【００６２】
上述したトレイ１００には、図２に示すように、トレイ１００の載置面１３にシリコーン接着剤等の再粘着性を有する粘着剤を塗布し粘着面２９を形成し、載置面１３に載置されるレンズシートＬ１がこの粘着面２９に貼着されるようにすることで、レンズシートＬ１の位置決めをより確実となるようにしてもよい。また、係る粘着面２９は、トレイ３００、あるいはトレイ４００についても設けてもよい。特に、トレイ４００においては、普通紙Ｐが載置された場合には、普通紙Ｐは係合部１０に係合しないため、ガイド体４１による位置決めに併せて粘着面２９によって固定することで、普通紙Ｐをより確実に位置決めすることができる。
【００６３】
図１０は、トレイの構成を示す断面図である。トレイ１００，３００，４００は、図１０（Ａ）に示すように、例えば、２枚のレンズシートＬ３，Ｌ４を接着層５１を挟んで互いに貼り合わされることで構成することができる。しかしながら、貼り合わされるレンズシートが薄く剛性が小さい場合には、トレイ支持ガイド２上を搬送される際に撓みを生じ、記録ヘッド５による記録位置を正確なものとすることができない問題が発生することがある。そこで、図１０（Ｂ）に示すように、２枚のレンズシートＬ３，Ｌ４の間に、接着層５１を介してステンレス等の金属、アクリル、ＰＥＴ（ポリエチレンテレフタラート）あるいはＰＥＴＧ（非結晶性ＰＥＴコポリマー）等の樹脂より形成される薄板５２を補強部材として挟んでトレイ１００，３００，４００を構成するようにしてもよい。このようにトレイ１００，３００，４００を構成することで、トレイ１００，３００，４００の撓みを抑えることができ、記録ヘッド５による記録位置を正確なものとすることができる。
【００６４】
なお、ガイド部１１と被ガイド部１７の少なくとも一方の表面にフッ素樹脂等の低摩擦材をコーティングすることで、トレイ１００（トレイ３００、トレイ４００）とガイド部１１との間の摩擦が低くなり、トレイ１００（トレイ３００、トレイ４００）の搬送をスムーズに行うことができ、また、ガイド部１１および被ガイド部１７の耐摩耗性を向上することができる。
【００６５】
上述の各実施の形態に説明した記録装置２００は、記録ヘッド５がレンズシートＬ１，Ｌ２の搬送方向と直交する方向に移動する形式のものであるが、記録ヘッドが移動しないいわゆるラインヘッドを用いた記録装置についても本実施形態を用いることができる。この場合、記録ヘッド６の移動方向である主走査方向は、ラインヘッドの長手方向の方向に対応する方向となる。
【００６６】
（その他の変形例）
図１１は、トレイ５２０に対するレンズシート５３０と搬送面５１０を示す図である。図には、搬送面５１０に載置されるトレイ５２０と、トレイ５２０上に載置されるレンズシート５３０が示されている。図において、紙面に向かう方向がトレイ５２０の搬送方向である。トレイ５２０は、記録装置のガイド部５１２に対して係合し、搬送方向に案内されるための被ガイド部５２４を備える。また、トレイ５２０上面には、レンズシート５３０におけるレンチキュラーレンズ５３１に係合するための複数の凸部５２２（接触部に相当）を有する。
【００６７】
図１２は、トレイ５２０の上面図である。図には、トレイ５２０の上部に、複数の半球形状の凸部５２２が格子状に配置されている様子が示されている。ここでは、レンチキュラーレンズ５３１が並ぶ方向、及び、トレイ５２０の搬送方向において、０．４２３ｍｍの間隔で凸部５２２が並ぶように配置されている。また、レンチキュラーレンズ５３１の凸部５２２の高さが０．２１２ｍｍであるのに対し、トレイ５２０の凸部５２２の高さは約０．１５０ｍｍとされ、互いの凸部が凹部に係合可能となっている。
【００６８】
図１３は、最小構成のトレイ５２０’の上面図である。前述の図１２では、トレイ５２０のほぼ全面において凸部５２２が配置されることとしていたが、レンズシート５３０の搬送方向の位置を正確に位置決めするためには、図１３に示すように少なくとも４つの凸部５２２が形成されていればよい。
【００６９】
図１４は、横レンズの載置について説明する図である。図には、トレイ５２０上に形成された複数の凸部５２２と、これら凸部５２２に係合するレンチキュラーレンズ５３１のレンズの谷５３２が破線で示されている。図に示されるように、レンチキュラーレンズ５３１のレンズの谷５３２の母線方向がトレイの搬送方向と交差する方向になるように、レンズシート５３０を載置することもできる。
【００７０】
図１５は、縦レンズの載置について説明する図である。図には、トレイ５２０上に形成された複数の凸部５２２と、これら凸部５２２に係合するレンチキュラーレンズ５３１のレンズの谷５３２が破線で示されている。図に示されるように、レンチキュラーレンズ５３１のレンズの谷５３２の母線方向がトレイの搬送方向と一致する方向になるように、レンズシート５３０を載置することもできる。
【００７１】
図１６は、斜めレンズの載置について説明する図である。ここでも、トレイ５２０上に形成された複数の凸部５２２と、これら凸部５２２に係合するレンチキュラーレンズ５３１のレンズの谷５３２が破線で示されている。図に示されているように、レンズシート５３０において、所定角度傾くようなレンチキュラーレンズ５３１を備える場合において、レンチキュラーレンズ５３１のレンズの谷５３２の母線方向がトレイ５２０の搬送方向から所定の角度を有する方向となるように、レンズシート５３０を載置することもできる。
【００７２】
図１７Ａは、鋭利な頂部を有する凸状ガイド５１２を示す図である。図１７Ｂは、半球型の凸状ガイド５１２１を示す図である。図１７Ｃは、三角形型の凸状ガイド５１２２を示す図である。図１７Ｄは、矩形型の凸状ガイド５１２３を示す図である。図１７Ｅは、複数の半球型の凸状ガイド５１２４を示す図である。  
記録装置の載置面においてガイド部が設けられる。ガイド部５１２は、図１１に示したような断面形状が搬送方向に延びるようにして形成されるが、断面形状はこれに限られず、図１７Ｂ〜図１７Ｅに示すようなものであってもよい。尚、その際、トレイ５２０の下部に形成される被ガイド部５２４の形状も、これらのそれぞれに係合するような、凸状ガイドとほぼ同様の形状で形成されることになる。
【００７３】
図１８は、トレイ５２０’の概略断面図を示す図である。図には、トレイ５２０’の下部に２つの被ガイド部５１３が形成されている様子が示されている。このように、搬送方向に延びる被ガイド部５１３を複数有することとしてもよい。尚、これら複数の被ガイド部５１３を有する際には、両者は離れて形成されることで搬送角度精度の高い搬送を行うことができる。
【００７４】
図１９は、球形レンズ５４０が並ぶ球形レンズアレイの載置について説明する図である。これまでは、レンズの凸部及び凹部が直線上に延びるレンチキュラーレンズについて説明を行ったが、レンズの形状はこれに限られず、例えば、図１９に示すような球形レンズ５４０を複数有するレンズアレイであってもよい。  
図には、前述と同様のトレイ上に設けられた複数の凸部５２２が実線で示されており、さらに、半球状のレンズが規則正しく並ぶ球形レンズアレイが破線で示されている。このようなレンズアレイであっても、トレイ上の４つの凸部５２２の中央に球形レンズ５４０の中央が嵌り込むように係合することが可能である。よって、このような球形レンズアレイをトレイ上に載置することによっても、搬送方向に交差する方向の動きが確実に制限されるようになるので、搬送角度精度の高い搬送を行うことができる。
【００７５】
図２０は、第１の六角形状レンズ５５０が並ぶ六角形状レンズアレイの載置について説明する図である。図には、トレイ上に設けられた複数の凸部５２２が実線で示されており、これらの凸部５２２は搬送方向について０．４２３ｍｍのピッチで並び、また、搬送方向と交差する方向について０．４２３ｍｍと０．８４６ｍｍのピッチが交互になるように配置されている。また、図には、六角形状レンズ５５０が規則正しく並ぶレンズアレイが破線で示されている。このようなレンズアレイであっても、トレイ上の４つの凸部５２２の中央に六角形状レンズ５５０の中央が嵌り込むように係合することが可能である。このような六角形状レンズアレイをトレイ上に載置することによっても、搬送方向に交差する方向の動きが確実に制限されるようになるので、搬送角度精度の高い搬送を行うことができる。
【００７６】
尚、トレイ上に設けられた凸部５２２は、搬送方向と交差する方向について０．４２３ｍｍと０．８４６ｍｍのピッチが交互になるように配置され、搬送方向について０．４２３ｍｍのピッチで並ぶように配置されることとしてもよい。
【００７７】
図２１は、第２の六角形状レンズ５６０が並ぶ六角形状レンズアレイの載置について説明する図である。図には、トレイ上に設けられた複数の凸部５２２が実線で示されており、これらの凸部５２２は搬送方向について０．８４６ｍｍのピッチで並び、また、搬送方向と交差する方向について０．４２３ｍｍと０．８４６ｍｍのピッチが交互になるように配置されている。また、図には、六角形状レンズ５６０が規則正しく並ぶレンズアレイが破線で示されている。ここでは、搬送方向の凸部５２２のピッチが図２０に示すものの倍になっている。  
このような場合であっても、トレイ上の４つの凸部５２２の中央に六角形状のレンズの中央が嵌り込むように係合することが可能である。このような六角形状レンズアレイをトレイ上に載置することによっても、搬送方向、及び、搬送方向に交差する方向の動きが確実に制限されるようになるので、搬送角度精度の高い搬送を行うことができる。
【００７８】
図２２は、正六角形状レンズ５７０にあわせて設けられた凸部配列を示す図である。図には、トレイ上に設けられた複数の凸部５２２が実線で示されている。これらの凸部５２２は、搬送方向について０．７３２ｍｍのピッチで並び、また、搬送方向と交差する方向について０．４２３ｍｍと０．８４６ｍｍのピッチが交互になるように配置されている。また、図には、正六角形状レンズ５７０が規則正しく並ぶレンズアレイが破線で示されている。  
このように、正六角形状レンズ５７０に併せて設けられた凸部配列であっても、トレイ上の４つの凸部の中央に六角形状のレンズの中央が嵌り込むように係合することが可能である。このような正六角形状レンズアレイをトレイ上に載置することによっても、搬送方向、及び、搬送方向に交差する方向の動きが確実に制限されるようになるので、搬送角度精度の高い搬送を行うことができる。
【００７９】
図２３は、正六角形状レンズにあわせて設けられた凸部配列に対する縦レンズの配置を説明する図である。図における凸部５２２の配列は、図２２におけるものと同様である。このような場合であっても、凸部５２２の搬送方向と交差する方向のピッチは、０．４２３ｍｍ又はその倍の０．８４６ｍｍとなっているので、ピッチが０．４２３ｍｍのレンチキュラーレンズを、母線が搬送方向と一致する方向に載置することができる。
【００８０】
図２４は、正六角形状レンズにあわせて設けられた凸部配列に対する横レンズの配置を説明する図である。図における凸部５２２の配列は、図２２におけるものと同様である。このような場合、凸部５２２の搬送方向についてのピッチは、０．７３２ｍｍであるので、ピッチが０．７３２ｍｍのレンチキュラーレンズを、母線が搬送方向と交差する方向に載置することができる。
【００８１】
図２５は、ＣＤトレイ４２０上のＣＤ−Ｒ６３０に印刷を行うプリンタ６００を説明する図である。図に示すようなプリンタ６００は、ＣＤ−Ｒの上面に印刷を行うことができるようにするために、ＣＤトレイ６２０を用いる。ＣＤトレイ６２０は、トレイ上にＣＤ−Ｒ６３０を載置され、プリンタ６００のヘッド下面に搬送され印刷される。その際、プリンタ６００に対して印刷されるＣＤ−Ｒ６３０を正確に位置決めする必要がある。
【００８２】
図２６は、ＣＤトレイ６２０とＣＤ６３０との関係を説明する図である。図には、ＣＤトレイ６２０に４個の凸部５２２が設けられている様子が示されている。凸部５２２は、ＣＤ−Ｒ６３０の内側孔に接するように配置される。このようにすることで、ＣＤトレイ６２０に対してＣＤ−Ｒ６３０の位置決めを正確に行うことができるようになる。
【００８３】
また、ＣＤトレイ６２０には、前述のような被ガイド部を設けることとして、高い搬送角度精度で記録装置としてのプリンタ６００内で搬送することもできる。尚、ここでは、搬送対象物をＣＤ−Ｒとして説明したが、ＤＶＤ−Ｒなどの媒体であってもよい。
【００８４】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００８５】
６，３０，５３１  レンチキュラーレンズ
１１  ガイド部
１５，３２  係合部
１７  被ガイド部
２９  粘着部
５２  薄板
４１  ガイド体
１００，３００，５２０  トレイ（記録媒体搬送用トレイ）
２００  記録装置
５３０，Ｌ１，Ｌ２  レンズシート
【図３】
2010247962.tif 000003
【図４】
2010247962.tif 000004
【図８】
2010247962.tif 000005
【図９】
2010247962.tif 000006
【図１０】
2010247962.tif 000007
【図１１】
2010247962.tif 000008
【図１２】
2010247962.tif 000009
【図１３】
2010247962.tif 000010
【図１４】
2010247962.tif 000011
【図１５】
2010247962.tif 000012
【図１６】
2010247962.tif 000013
【図１７】
2010247962.tif 000014
【図１８】
2010247962.tif 000015
【図１９】
2010247962.tif 000016
【図２０】
2010247962.tif 000017
【図２１】
2010247962.tif 000018
【図２２】
2010247962.tif 000019
【図２３】
2010247962.tif 000020
【図２４】
2010247962.tif 000021
【図２５】
2010247962.tif 000022
【図２６】
2010247962.tif 000023
【図１】
2010247962.tif 000024
【図２】
2010247962.tif 000025
【図５】
2010247962.tif 000026
【図６】
2010247962.tif 000027
【図７】
2010247962.tif 000028